【手続補正書】
【提出日】平成23年8月1日(2011.8.1)
【手続補正１】
【補正対象書類名】特許請求の範囲
【補正対象項目名】全文
【補正方法】変更
【補正の内容】
【特許請求の範囲】
【請求項１】
記録紙への印刷データの処理中に、少なくとも第１のエラー群および当該第１のエラー群とは異なる第２のエラー群のいずれかに属するエラーが発生したか否かを検出し、
前記エラーの発生が検出された場合には、
前記エラーが前記第１のエラー群に含まれる第１エラーと前記第２のエラー群に含まれる第２エラーのいずれであるかを判定し、
前記エラーの発生を検出した時に処理されている前記印刷データの内容と、当該判定した結果に基づき、前記印刷データの再印刷を行うか否かを決定することを特徴とするプリンタの再印刷制御方法。
【請求項２】
請求項１に記載のプリンタの再印刷制御方法であって、
前記印刷データが印刷領域と余白領域を含むものである場合、
前記余白領域を処理中に、前記第１エラーまたは前記第２エラーが発生したか否かを検出し、
前記第２エラーを検出した場合には、前記再印刷を行い、
前記第１エラーを検出した場合には、前記再印刷を行わないことを特徴とするプリンタの再印刷制御方法。
【請求項３】
請求項２に記載のプリンタの再印刷制御方法であって、
前記印刷領域への処理中に、前記第１エラーまたは前記第２エラーが発生したか否かを検出し、
前記第１エラーを検出した場合、または前記第２エラーを検出した場合には、前記再印刷を行うことを特徴とするプリンタの再印刷制御方法。
【請求項４】
請求項１に記載のプリンタの再印刷制御方法であって、
前記印刷データが印刷領域と余白領域を含むものであり、ページ単位のものである場合、
前記記録紙における所定のページの前記余白領域を処理中に、前記第１エラーまたは前記第２エラーが発生したか否かを検出し、
前記第２エラーを検出した場合には、前記記録紙における所定のページの次のページに前記再印刷を行い、
前記第１エラーを検出した場合には、前記再印刷を行わないことを特徴とするプリンタの再印刷制御方法。
【請求項５】
請求項４に記載のプリンタの再印刷制御方法であって、
前記所定のページの前記印刷領域への処理中に、前記第１エラーまたは前記第２エラーが発生したか否かを検出し、
前記第１エラーを検出した場合、または前記第２エラーを検出した場合には、前記記録紙における所定のページの次のページに前記再印刷を行うことを特徴とするプリンタの再印刷制御方法。
【請求項６】
請求項１ないし５のいずれかの項に記載のプリンタの再印刷制御方法であって、
前記第２のエラー群には、紙ジャムが発生したことに関係するエラーとメカニズムに関係するエラーの少なくともいずれかが含まれることを特徴とするプリンタの再印刷制御方法。
【請求項７】
請求項１ないし６のいずれかの項に記載のプリンタの再印刷制御方法であって、
前記第１のエラー群には、前記プリンタのカバーが開いていることに関係するエラーと前記記録紙が無いことに関係するエラーの少なくともいずれかが含まれることを特徴とするプリンタの再印刷制御方法。
【請求項８】
記録紙を充填する充填部と、
前記充填部を開閉するカバーと、
前記記録紙を搬送する搬送部と、
前記記録紙に印刷する印刷ヘッドと、
印刷データを処理する制御部と、
少なくとも、第１のエラー群に含まれる第１エラーを検出する第１エラー検出部と、
第２のエラー群に含まれる第２エラーを検出する第２エラー検出部と、を備え
前記制御部は、
請求項１ないし７のいずれかの項に記載のプリンタの再印刷制御方法を実行し、前記再印刷の要否を決定することを特徴とするプリンタ。
【手続補正２】
【補正対象書類名】明細書
【補正対象項目名】０００６
【補正方法】変更
【補正の内容】
【０００６】
（適用例１）
記録紙への印刷データの処理中に、少なくとも第１のエラー群および当該第１のエラー群とは異なる第２のエラー群のいずれかに属するエラーが発生したか否かを検出し、
前記エラーの発生が検出された場合には、
前記エラーが前記第１のエラー群に含まれる第１エラーと前記第２のエラー群に含まれる第２エラーのいずれであるかを判定し、
前記エラーの発生を検出した時に処理されている前記印刷データの内容と、当該判定した結果に基づき、前記印刷データの再印刷を行うか否かを決定することを特徴とするプリンタの再印刷制御方法。
（適用例２）
上述のプリンタの再印刷制御方法であって、
前記印刷データが印刷領域と余白領域を含むものである場合、
前記余白領域を処理中に、前記第１エラーまたは前記第２エラーが発生したか否かを検出し、
前記第２エラーを検出した場合には、前記再印刷を行い、
前記第１エラーを検出した場合には、前記再印刷を行わないことを特徴とするプリンタの再印刷制御方法。
（適用例３）
上述のプリンタの再印刷制御方法であって、
前記印刷領域への処理中に、前記第１エラーまたは前記第２エラーが発生したか否かを検出し、
前記第１エラーを検出した場合、または前記第２エラーを検出した場合には、前記再印刷を行うことを特徴とする。
（適用例４）
上述のプリンタの再印刷制御方法であって、
前記印刷データが印刷領域と余白領域を含むものであり、ページ単位のものである場合、
前記記録紙における所定のページの前記余白領域を処理中に、前記第１エラーまたは前記第２エラーが発生したか否かを検出し、
前記第２エラーを検出した場合には、前記記録紙における所定のページの次のページに前記再印刷を行い、
前記第１エラーを検出した場合には、前記再印刷を行わないことを特徴とする。
（適用例５）
上述のプリンタの再印刷制御方法であって、
前記所定のページの前記印刷領域への処理中に、前記第１エラーまたは前記第２エラーが発生したか否かを検出し、
前記第１エラーを検出した場合、または前記第２エラーを検出した場合には、前記記録紙における所定のページの次のページに前記再印刷を行うことを特徴とする。
（適用例６）
上述のプリンタの再印刷制御方法であって、
前記第２のエラー群には、紙ジャムが発生したことに関係するエラーとメカニズムに関係するエラーの少なくともいずれかが含まれることを特徴とする。
（適用例７）
上述のプリンタの再印刷制御方法であって、
前記第１のエラー群には、前記プリンタのカバーが開いていることに関係するエラーと前記記録紙が無いことに関係するエラーの少なくともいずれかが含まれることを特徴とする。
（適用例８）
記録紙を充填する充填部と、
前記充填部を開閉するカバーと、
前記記録紙を搬送する搬送部と、
前記記録紙に印刷する印刷ヘッドと、
印刷データを処理する制御部と、
少なくとも、第１のエラー群に含まれる第１エラーを検出する第１エラー検出部と、
第２のエラー群に含まれる第２エラーを検出する第２エラー検出部と、を備え
前記制御部は、
上述のプリンタの再印刷制御方法を実行し、前記再印刷の要否を決定することを特徴とするプリンタ。
上記の課題を解決するために、本発明のプリンタの再印刷制御方法は、
記録紙への所定のジョブの印刷中に、第１のエラー群および当該第１のエラーとは異なる第２のエラー群のいずれかに属する所定のエラーが発生したか否かを検出し、
前記所定のエラーの発生が検出された場合には、
前記所定のエラーが前記第１エラー群に含まれる第１のエラーと前記第２エラー群に含まれる第２のエラーのいずれであるかを検出し、
当該検出した結果に基づき、再印刷を行うことを特徴としている。